(57)【要約】【課題】指向性を利用して、出力データの出力を安全かつ遠隔で解除することができるようにする。【解決手段】赤外線受光部８２によって、赤外線を受光し、解除部９７によって、赤外線受光部８２によって受光した赤外線から、解除コードを含むデータを表すパルスコードが得られた場合に、解除コードが一致する音声ファイル又は音楽ファイルを再生可能な状態に解除する。再生制御部９９によって、再生可能な状態に解除された音声ファイル又は音楽ファイルを出力する。【選択図】図４
2020092328.tif 000002
【特許請求の範囲】
【請求項１】
出力データ毎に、前記出力データを出力可能な状態に解除するための解除コードを格納した記憶部と、
赤外線を受光するための受光部と、
前記受光部によって受光した赤外線から、前記解除コードを含むデータを表すパルスコードが得られた場合に、前記解除コードが一致する出力データを出力可能な状態に解除する解除部と、
前記出力可能な状態に解除された前記出力データを出力する出力部と、
を含む携帯機器。
【請求項２】
前記出力データは、音声ファイル又は音楽ファイルであって、
前記出力部は、ユーザによる操作部の操作に応じて、前記出力可能な状態に解除された前記出力データである音声ファイル又は音楽ファイルを再生する請求項１記載の携帯機器。
【請求項３】
前記出力データは、携帯情報端末における特定のアプリケーションに関するデータであって、
前記出力部は、前記出力可能な状態に解除された前記出力データを、無線通信により接続された前記携帯情報端末へ送信する請求項１記載の携帯機器。
【請求項４】
缶バッチ型の携帯機器である請求項１〜請求項３の何れか１項記載の携帯機器。
【請求項５】
請求項１〜請求項４の何れか１項記載の携帯機器と、
前記解除コードを含むデータを表すパルスコードを含む赤外線を出力する赤外線出力機と、
を含む赤外線通信システム。
【発明の詳細な説明】
【技術分野】
【０００１】
本発明は、赤外線を用いた携帯機器及び赤外線通信システムに関する。
【背景技術】
【０００２】
従来より、Ｗｉ−ｆｉ（登録商標）などの電波を用いて、携帯機器に対して遠隔で指示する技術が知られている（例えば、特許文献１参照）。
【先行技術文献】
【特許文献】
【０００３】
【特許文献１】特開2016-127334号公報
【発明の概要】
【発明が解決しようとする課題】
【０００４】
しかしながら、Ｗｉ−ｆｉでは指向性がないため、指向性を利用した指示を遠隔で行いたい場合には利用できない。また、指向性を有するレーザを使うことも考えられるが、人が携帯する携帯機器に対してレーザを照射すると、誤って人に対してレーザを照射してしまうおそれがある。
【０００５】
本発明は、指向性を利用し、かつ安全性を確保して、出力データの出力を遠隔で解除することができる携帯機器及び赤外線通信システムを提供することを目的とする。
【課題を解決するための手段】
【０００６】
本発明の携帯機器は、出力データ毎に、前記出力データを出力可能な状態に解除するための解除コードを格納した記憶部と、赤外線を受光するための受光部と、前記受光部によって受光した赤外線から、前記解除コードを含むデータを表すパルスコードが得られた場合に、前記解除コードが一致する出力データを出力可能な状態に解除する解除部と、前記出力可能な状態に解除された前記出力データを出力する出力部と、を含んで構成されている。
【０００７】
本発明の携帯機器によれば、受光部によって、赤外線を受光し、解除部によって、前記受光部によって受光した赤外線から、前記解除コードを含むデータを表すパルスコードが得られた場合に、前記解除コードが一致する出力データを出力可能な状態に解除する。
【０００８】
そして、出力部によって、前記出力可能な状態に解除された前記出力データを出力する。
【０００９】
このように、受光部によって受光した赤外線から、前記解除コードを含むデータを表すパルスコードが得られた場合に、前記解除コードが一致する出力データを出力可能な状態に解除することにより、指向性を利用して、出力データの出力を安全かつ遠隔で解除することができる。
【００１０】
本発明の赤外線通信システムは、上記の携帯機器と、前記解除コードを含むデータを表すパルスコードを含む赤外線を出力する赤外線出力機と、を含んで構成されている。
【発明の効果】
【００１１】
本発明に係る携帯機器及び赤外線通信システムは上記構成としたので、指向性を利用して、出力データの出力を安全かつ遠隔で解除することができる。
【図面の簡単な説明】
【００１２】
【図１】本発明の第１の実施の形態に係る赤外線通信システムの構成を示す概略図である。
【図２】本発明の第１の実施の形態に係る赤外線通信システムの携帯機器の構成を示す概略図である。
【図３】本発明の第１の実施の形態に係る赤外線通信システムの携帯機器の構成を示すブロック図である。
【図４】本発明の第１の実施の形態に係る赤外線通信システムの携帯機器の制御部の構成を示すブロック図である。
【図５】解除コードテーブルの例を示す図である。
【図６】再生可能ファイルテーブルの例を示す図である。
【図７】本発明の第１の実施の形態に係る赤外線通信システムの赤外線出力機の光学装置を示す要部の断面図である。
【図８】本発明の第１の実施の形態に係る携帯機器のデータ解除処理ルーチンの内容を示すフローチャートである。
【図９】本発明の第２の実施の形態に係る赤外線通信システムの構成を示す概略図である。
【図１０】本発明の第２の実施の形態に係る赤外線通信システムの赤外線受光用携帯機器の構成を示す概略図である。
【図１１】本発明の第２の実施の形態に係る赤外線通信システムの赤外線受光用携帯機器の構成を示すブロック図である。
【図１２】本発明の第２の実施の形態に係る赤外線受光用携帯機器のデータ解除処理ルーチンの内容を示すフローチャートである。
【図１３】模型銃の構成を示す図である。
【発明を実施するための形態】
【００１３】
以下、図面を参照して本発明の実施の形態を詳細に説明する。
【００１４】
［第１の実施の形態］
第１の実施の形態では、赤外線により携帯機器の音声ファイル又は音楽ファイルの再生を遠隔で解除する赤外線通信システムに本発明を適用した場合を例に説明する。
【００１５】
＜赤外線通信システム１００の構成＞
図１に示すように、本発明の実施の形態に係る赤外線通信システム１００は、複数の操作者により操作される複数の赤外線出力機１２と、複数の携帯者が携帯する複数の缶バッチ型の携帯機器８０とを備えている。また、図１では、簡単のため、赤外線出力機１２及び携帯機器８０を、１つずつ示している。
【００１６】
＜携帯機器８０の構成＞
図２（Ａ）に示すように、携帯機器８０の表面には、赤外線受光部８２と、発光部８４とを備えている。
【００１７】
赤外線受光部８２は、赤外線出力機１２から送信された赤外線信号のオンオフを表すパルスコードを、後述する制御部９４へ出力する。なお、赤外線受光部８２は、赤外線出力機１２から送信された赤外線信号を受光できるように、携帯機器８０の筐体外側に配置されている。また、発光部８４は、ＬＥＤにより発光する。
【００１８】
図２（Ｂ）に示すように、携帯機器８０の裏面には、音声再生ボタン８６Ａ、音楽再生ボタン８６Ｂ、送りボタン８６Ｃ、音声出力部８８、クリップ９０Ａ、安全ピン９０Ｂ、及び電池ボックス９２を備えている。また、図２（Ｃ）は、携帯機器８０の側面を示す図である。
【００１９】
また、携帯機器８０は、図３に示すように、音声再生ボタン８６Ａ、音楽再生ボタン８６Ｂ、及び送りボタン８６Ｃからなる操作部８６と、赤外線受光部８２と、発光部８４と、音声出力部８８とに接続された制御部９４を備え、制御部９４は、記憶部９６と接続されている。
【００２０】
制御部９４は、ＣＰＵ、ＲＯＭ、ＲＡＭ、及びＨＤＤを備えたコンピュータで構成されており、ＨＤＤには、後述するデータ解除処理ルーチンを含む各種プログラムが記憶されている。制御部９４は、機能的には次に示すように構成されている。図４に示すように、制御部９４は、解除部９７、発光制御部９８、及び再生制御部９９を備えている。
【００２１】
記憶部９６には、複数の音声ファイル及び複数の音楽ファイルが予め格納されている。また、記憶部９６には、図５に示すように、音声ファイル毎に、連番、当該音声ファイルの発声者の名前と、音声内容と、ファイル名と、当該音声ファイルの再生可能な状態に解除するための解除コードとを格納した解除コードテーブル９６Ａが予め格納されている。また、音楽ファイルについても、再生可能ファイルテーブル９６Ｂと同様のテーブルが、記憶部９６に格納されている。
【００２２】
また、記憶部９６には、図６に示すような、再生可能な状態に解除された音声ファイル毎に、連番、当該音声ファイルの発声者の名前と、音声内容と、ファイル名とを格納した再生可能ファイルテーブル９６Ｂが格納されている。なお、初期状態では、再生可能ファイルテーブル９６Ｂには何も格納されていないか、初期状態から再生可能に設定されている一部の音声ファイルに関する情報のみが格納されている。すなわち、初期状態では、全ての音声ファイルが再生不可能な状態となっているか、一部の音声ファイルのみが再生可能な状態となっている。また、音楽ファイルについても、再生可能ファイルテーブル９６Ｂと同様のテーブルが、記憶部９６に格納されている。
【００２３】
解除部９７は、赤外線受光部８２によって受光した赤外線のパルスコードが、解除コードを含むデータを表している場合に、解除コードを取得し、解除コードテーブル９６Ａを参照し、取得した解除コードと一致する音声ファイルまたは音楽ファイルを探索する。解除部９７は、取得した解除コードと一致する音声ファイルまたは音楽ファイルがあった場合に、当該音声ファイルまたは音楽ファイルの情報を、再生可能ファイルテーブル９６Ｂに格納することにより、当該音声ファイルまたは音楽ファイルを再生可能な状態に解除する。
【００２４】
発光制御部９８は、解除部９７において、取得した解除コードと一致する音声ファイルまたは音楽ファイルがあった場合に、発光部８４を発光させるように制御する。このとき、音声ファイルまたは音楽ファイル毎に、発光色を定めておき、取得した解除コードと一致する音声ファイルまたは音楽ファイルに応じた色で発光部８４を発光させるように制御してもよい。
【００２５】
再生制御部９９は、操作部８６である音声再生ボタン８６Ａ及び送りボタン８６Ｃの操作に応じて、再生可能ファイルテーブル９６Ｂを参照することにより、再生可能な状態に解除された音声ファイルを再生して、音声出力部８８により出力するように制御する。また、再生制御部９９は、操作部８６である音楽再生ボタン８６Ｂ及び送りボタン８６Ｃの操作に応じて、再生可能ファイルテーブル９６Ｂと同様のテーブルを参照することにより、再生可能な状態に解除された音楽ファイルを再生して、音声出力部８８により出力するように制御する。なお、再生可能な状態に解除された音声ファイル及び音楽ファイルは、再生されても、再生可能ファイルテーブルから消去されない。従って、再生可能な状態に解除された音声ファイル及び音楽ファイルは再生可能ファイルテーブルに蓄積される。
【００２６】
＜赤外線出力機１２の構成＞
図１右は、光学装置１０（図７参照）を適用した赤外線出力機１２を示す図であり、赤外線出力機１２には、後述する光学装置１０が設けられている。これにより、赤外線出力機１２の操作部１４を操作した際に、光学装置１０が発する光線Ｂを出射できるように構成されている。光学装置１０が発する光線Ｂは、予め設定された解除コードを含むデータを表すパルスコードを含む赤外線である。赤外線出力機１２毎に異なる解除コードが設定されているものとする。また、１つの赤外線出力機１２に、複数種類の解除コードが設定されており、光学装置１０が発する光線Ｂの赤外線のパルスコードが表す解除コードが切り替え可能に構成されていてもよい。
【００２７】
この赤外線出力機１２では、弾道距離の設定が比較的短い５０ｍとされており、５０ｍ先での光線Ｂの照射範囲の直径が、５ｍｍとなるように設定されている。
【００２８】
なお、照射範囲の外周部には、収差によって広がった領域が形成されており、この広がった領域を含めた直径は、約１５０ｍｍである。
【００２９】
図７は、赤外線出力機１２で使用される光学装置１０を示す図であり、光学装置１０は、基端側を構成する第一鏡胴３０と、前端側を構成する第二鏡胴３２とを備えている。
【００３０】
第一鏡胴３０は、円筒状に形成されている。第一鏡胴３０の先端面３０Ａには、先端へ向けて突出する凸部３４が一体形成されており、凸部３４は、当該第一鏡胴３０の中心線Ｃを中心とした円柱状とされている。凸部３４の外周面には、雄ネジ３４Ａが全長に渡って形成されている。
【００３１】
第一鏡胴３０の基端面３０Ｂには、基板装着穴３６が形成されており、基板装着穴３６は、当該第一鏡胴３０の中心線Ｃを中心とした円形とされている。基板装着穴３６には、基板３８が装着されており、この基板３８は、周縁部が基板装着穴３６の奥壁３６Ａに面接触した状態で固定されている。
【００３２】
基板装着穴３６の奥壁３６Ａには、基板装着穴３６より小径の光源収容穴４０が形成されており、光源収容穴４０は、当該第一鏡胴３０の中心線Ｃを中心とした円形とされている。この光源収容穴４０には、基板３８に実装された発光ダイオード４２が収容されており、発光ダイオード４２としては、一例として赤外線ＬＥＤが用いられている。
【００３３】
発光ダイオード４２は、半球状の発光面４２Ａが光源収容穴４０の奥壁４０Ａ側へ向けて配置されている。発光ダイオード４２は、発光面４２Ａから赤外線を発光し、その広がり角αは、３０度とされている。
【００３４】
なお、本実施形態では、赤外線を発光する赤外線ＬＥＤを使用する場合について説明したが、これに限定されるものではない。例えば、波長が、８００〜２５００ｎｍの近赤外線を発光するＬＥＤを用いてもよい。
【００３５】
光源収容穴４０の奥壁４０Ａには、光源収容穴４０より小径の個体差調整穴４４が形成されており、個体差調整穴４４は、当該第一鏡胴３０の中心線Ｃを中心とした円形とされている。
【００３６】
個体差調整穴４４の内径は、５ｍｍとされており、光源収容穴４０側の端から個体差調整穴４４の奥壁４４Ａまでの長さ寸法は、１１ｍｍとされている。これにより、広がり角αをもって広がる発光ダイオード４２からの光線Ｂは、奥壁４４Ａに達する前に、照射範囲の外周縁が個体差調整穴４４の内周面に達するように構成されている。
【００３７】
この個体差調整穴４４の奥壁４４Ａには、個体差調整穴４４より小径の絞り穴４６が形成されており、絞り穴４６は、当該第一鏡胴３０の中心線Ｃを中心とした円形とされている。
【００３８】
絞り穴４６は、凸部３４を貫通しており、絞り穴４６は、第一鏡胴３０の先端に開口する。絞り穴４６は、発光ダイオード４２からの光線Ｂを絞って照射範囲を調整するアパーチャーであり、絞り穴４６の直径は、用途に応じて１ｍｍ〜３ｍｍの範囲で定められる。
【００３９】
この絞り穴４６によって第一鏡胴３０の先端部には、絞り部４８が形成されており、発光ダイオード４２が発する光線Ｂは、その中心部分の光のみが絞り穴４６を通過するように構成されている。
【００４０】
第二鏡胴３２の基端面３２Ａには、ネジ穴５０が形成されており、ネジ穴５０は、当該第二鏡胴３２の中心線Ｃを中心とした円形とされている。ネジ穴５０の奥壁５０Ａには、調整穴５２が形成されており、調整穴５２は、当該第二鏡胴３２の中心線Ｃを中心とした円形とされている。
【００４１】
調整穴５２の奥側には、調整穴５２より大径のレンズ固定穴５４が形成されており、レンズ固定穴５４は、当該第二鏡胴３２の中心線Ｃを中心とした円形とされている。
【００４２】
このレンズ固定穴５４は、調整穴５２に連通しており、レンズ固定穴５４は、第二鏡胴３２の先端面３２Ｂに開口する。レンズ固定穴５４には、円形の平凸レンズ５６が設けられており、平凸レンズ５６を用いることで、球面収差を小さくする。
【００４３】
平凸レンズ５６は、先端側が中心に向かうに従って先端側へ突出する凸面５６Ａとされており、基端側は、平面５６Ｂとされている。この平凸レンズ５６は、平面５６Ｂの周縁部がレンズ固定穴５４の壁面５４Ａに面接触した状態で固定されている。
【００４４】
平凸レンズ５６は、直径寸法が、５ｍｍ、凸面５６Ａの最も突出した位置から平面５６Ｂまでの厚み寸法は、１．５ｍｍとされている。また、凸面５６Ａは、Ｒが、６．６ｍｍとされており、平面５６Ｂは、Ｒが、∞とされている。
【００４５】
平凸レンズ５６は、ガラスで形成されており、波長が７２０ｎｍにおいて、屈折率が１．５１６８とされたレンズを用いている（例えば、株式会社ノーベルアームズの品番：ＢＳＣ７若しくはＢＫ７）。平凸レンズ５６は、絞り部４８側の焦点距離が、１１ｍｍ〜１４ｍｍとされている。
【００４６】
これにより、平凸レンズ５６は、絞り部４８を通過した光線Ｂを平行光に近づけて出射できるように設計されており、絞り部４８を通過した光線Ｂの広がり角βを、発光ダイオード４２からの光線Ｂの広がり角αより抑えて出射する。
【００４７】
第二鏡胴３２の基端側に設けられたネジ穴５０の内周面には、雌ネジ５０Ｂが形成されており、当該ネジ穴５０に第一鏡胴３０の凸部３４を捩じ込むことで、第一鏡胴３０の雄ネジ３４Ａと第二鏡胴３２の雌ネジ５０Ｂとが螺合するように構成されている。
【００４８】
そして、第二鏡胴３２のネジ穴５０への第一鏡胴３０の凸部３４を捩じ込み量に応じて、絞り部４８から平凸レンズ５６までの離間距離ＬＫを、絞り部４８からの光線Ｂの光軸Ｂ１に沿って可変することができる。これにより、第二鏡胴３２のネジ穴５０と第一鏡胴３０の凸部３４とによって、焦点距離を調整する調整構造６２が構成されている。
【００４９】
なお、本実施形態では、発光ダイオード４２からの光線Ｂの光軸と、第一鏡胴３０の中心線Ｃと、絞り部４８からの光線Ｂの光軸Ｂ１と、第二鏡胴３２の中心線Ｃとが一致する場合を例に挙げて図示した。
【００５０】
両鏡胴３０、３２の内周面は、赤外線を吸収する光吸収面６４とされ、発光ダイオード４２からの光線Ｂを吸収する光吸収構造とされている。その具体例としては、各鏡胴３０、３２を、赤外線を吸収する黒色の合成樹脂で形成したり、各鏡胴３０、３２の内周面に赤外線を吸収する黒色に塗装したりする方法が挙げられる。
【００５１】
第一鏡胴３０に設けられた基板３８には、基板３８に設けられた発光ダイオード４２に電力を供給して発光させるドライバ６６が接続されており、ドライバ６６は、制御部６８からの信号に基づいて発光ダイオード４２を発光させる。制御部６８には、各赤外線出力機１２の操作部１４に連動してオン作動するスイッチ７０と記憶部７２とが接続されており、記憶部７２には、予め設定された解除コードを含むデータが読み出し可能に記憶されている。
【００５２】
制御部６８は、ＲＯＭやＲＡＭを内蔵したマイコンで構成されており、マイコンは、ＲＯＭに記憶されたプログラムに従って動作するように構成されている。
【００５３】
これにより、制御部６８は、操作部１４の操作に伴ってスイッチ７０がオン作動した際に、記憶部７２に記憶された、解除コードを含むデータを読み出し、このデータに基づくパルスコードをドライバ６６に出力する。すると、ドライバ６６は、パルスコードに基づいて、発光ダイオード４２への出力を制御し、発光ダイオード４２からの光線Ｂをオンオフ制御して変調する。
【００５４】
＜赤外線通信システム１００の作用＞
次に、本発明の実施の形態に係る赤外線通信システム１００の作用について説明する。
【００５５】
まず、操作者による赤外線出力機１２の操作部１４の操作により、光学装置１０の発光ダイオード４２から、予め設定された解除コードを含むデータを表すパルスコードを含む赤外線である光線Ｂが発せられる。
【００５６】
そして、携帯機器８０の赤外線受光部８２が、光線Ｂを受光すると、携帯機器８０は、図８に示すデータ解除処理ルーチンを実行する。
【００５７】
まず、ステップＳ１００において、解除部９７は、赤外線受光部８２によって受光した赤外線のパルスコードから、解除コードを取得する。
【００５８】
そして、ステップＳ１０２において、解除部９７は、解除コードテーブル９６Ａを参照し、取得した解除コードと一致する音声ファイルまたは音楽ファイルを探索する。
【００５９】
ステップＳ１０４では、解除部９７は、取得した解除コードと一致する音声ファイルまたは音楽ファイルがあったか否かを判定する。取得した解除コードと一致する音声ファイルまたは音楽ファイルがあった場合には、ステップＳ１０６へ移行し、一方、取得した解除コードと一致する音声ファイルまたは音楽ファイルがなかった場合には、データ解除処理ルーチンを終了する。
【００６０】
ステップＳ１０６では、発光制御部９８は、発光部８４を発光させるように制御する。
【００６１】
ステップＳ１０８では、解除部９７は、取得した解除コードと一致する音声ファイルまたは音楽ファイルの情報を、再生可能ファイルテーブル９６Ｂに格納することにより、当該音声ファイルまたは音楽ファイルを再生可能な状態に解除し、データ解除処理ルーチンを終了する。
【００６２】
そして、音声再生ボタン８６Ａ及び送りボタン８６Ｃの操作があった場合には、再生制御部９９は、再生可能ファイルテーブル９６Ｂを参照することにより、再生可能な状態に解除された音声ファイルを再生して、音声出力部８８により出力するように制御する。また、音楽再生ボタン８６Ｂ及び送りボタン８６Ｃの操作があった場合には、再生制御部９９は、再生可能ファイルテーブル９６Ｂと同様のテーブルを参照することにより、再生可能な状態に解除された音楽ファイルを再生して、音声出力部８８により出力するように制御する。なお、再生可能ファイルテーブル９６Ｂに複数の音声ファイルの情報が格納されている場合には、再生制御部９９は、当該複数の音声ファイルを順次再生するように制御する。
【００６３】
以上説明したように、第１の実施の形態に係る赤外線通信システムによれば、携帯機器の赤外線受光部によって受光した赤外線から、解除コードを含むデータを表すパルスコードが得られた場合に、解除コードが一致する音声ファイルまたは音楽ファイルを再生可能な状態に解除することにより、指向性を利用して、音声ファイルまたは音楽ファイルの再生を安全かつ遠隔で解除することができる。
【００６４】
［第２の実施の形態］
次に、第２の実施の形態に係る赤外線通信システムについて説明する。なお、第１の実施の形態と同様の構成となる部分については、同一符号を付して説明を省略する。
【００６５】
第２の実施の形態では、解除コードで解除されるデータが、携帯情報端末における特定のアプリケーションに関するコマンドであって、携帯機器は、解除されたコマンドを、携帯情報端末へ送信するようにしている点が、第１の実施の形態と異なっている。
【００６６】
図９に示すように、第２の実施の形態に係る赤外線通信システム２００は、複数の赤外線出力機１２と、複数の携帯者が携帯する複数の赤外線受光用携帯機器２８０と、複数の赤外線受光用携帯機器２８０の各々と無線通信可能な複数の携帯情報端末２７０とを備えている。なお、図９では、簡単のため、赤外線出力機１２、赤外線受光用携帯機器２８０、及び携帯情報端末２７０を、１つずつ示している。
【００６７】
＜赤外線受光用携帯機器２８０の構成＞
赤外線受光用携帯機器２８０は、図１０に示すように、設定操作を受け付けるための操作部２８６と、赤外線受光部８２と、表示部２８４と、無線通信部２８８と、制御部２９４と、記憶部２９６とを備えている。
【００６８】
制御部２９４は、ＣＰＵ、ＲＯＭ、ＲＡＭ、及びＨＤＤを備えたコンピュータで構成されており、ＨＤＤには、後述するデータ解除処理ルーチンを含む各種プログラムが記憶されている。制御部２９４は、機能的には次に示すように構成されている。図１１に示すように、制御部２９４は、解除部９７、表示制御部２９８、及び通信制御部２９９を備えている。
【００６９】
記憶部２９６には、携帯情報端末２７０における特定のアプリケーションに関する複数のコマンドが予め格納されている。また、記憶部２９６には、特定のアプリケーションに関するコマンド毎に、当該コマンドを送信可能な状態に解除するための解除コードを格納した解除コードテーブルが予め格納されている。また、記憶部２９６には、送信可能な状態に解除されたコマンドを格納する送信コマンドリストが記憶されている。
【００７０】
解除部９７は、赤外線受光部８２によって受光した赤外線のパルスコードが、解除コードを含むデータを表している場合に、解除コードを取得し、解除コードテーブルを参照し、取得した解除コードと一致するコマンドを探索する。解除部９７は、取得した解除コードと一致するコマンドがあった場合に、当該コマンドを、送信コマンドリストに格納することにより、当該コマンドを送信可能な状態に解除する。
【００７１】
表示制御部２９８は、解除部９７において、取得した解除コードと一致するコマンドがあった場合に、当該コマンドに対応するメッセージを表示部２８４に表示させる。
【００７２】
通信制御部２９９は、送信可能な状態に解除されたコマンドを、無線通信可能に接続されている携帯情報端末２７０に対して送信するように無線通信部２８８を制御する。具体的には、Bluetooth（登録商標）を用いた携帯情報端末２７０との通信を確立した上で、送信可能な状態に解除されたコマンドを、無線通信可能に接続されている携帯情報端末２７０に対して送信する。また、通信制御部２９９は、コマンドを送信後、当該コマンドを、送信コマンドリストから消去する。
【００７３】
＜携帯情報端末２７０の構成＞
携帯情報端末２７０は、例えば、スマートフォンであり、携帯情報端末２７０が備えているＨＤＤには、Ｗｅｂサーバ（図示省略）が提供するサイトからダウンロードし、かつ、インストールした、アプリケーションソフトが記憶されている。なお、インストールしたアプリケーションソフトは、後述する特定のアプリケーションを含んでいる。
【００７４】
また、携帯情報端末２７０は、Bluetooth（登録商標）を用いた通信機能を備えており、赤外線受光用携帯機器２８０との間で通信を確立した上で、特定のアプリケーションに関するコマンドを受信することが可能となるように構成されている。
【００７５】
＜赤外線通信システム２００の作用＞
次に、第２の実施の形態に係る赤外線通信システム２００の作用について説明する。
【００７６】
まず、操作者による赤外線出力機１２の操作部１４の操作により、光学装置１０の発光ダイオード４２から、予め設定された解除コードを含むデータを表すパルスコードを含む赤外線である光線Ｂが発せられる。
【００７７】
そして、赤外線受光用携帯機器２８０の赤外線受光部８２が、光線Ｂを受光すると、赤外線受光用携帯機器２８０は、図１２に示すデータ解除処理ルーチンを実行する。
【００７８】
まず、ステップＳ１００において、解除部９７は、赤外線受光部８２によって受光した赤外線のパルスコードから、解除コードを取得する。
【００７９】
そして、ステップＳ２０２において、解除部９７は、解除コードテーブルを参照し、取得した解除コードと一致するコマンドを探索する。
【００８０】
ステップＳ２０４では、解除部９７は、取得した解除コードと一致するコマンドがあったか否かを判定する。取得した解除コードと一致するコマンドがあった場合には、ステップＳ２０６へ移行し、一方、取得した解除コードと一致するコマンドがなかった場合には、データ解除処理ルーチンを終了する。
【００８１】
ステップＳ２０６では、表示制御部２９８は、当該コマンドに対応するメッセージを表示部２８４に表示させるように制御する。
【００８２】
ステップＳ２０８では、解除部９７は、取得した解除コードと一致するコマンドを、送信コマンドリストに格納することにより、当該コマンドを送信可能な状態に解除する。そして、通信制御部２９９は、送信可能な状態に解除されたコマンドを、無線通信可能に接続されている携帯情報端末２７０に対して送信するように無線通信部２８８を制御し、データ解除処理ルーチンを終了する。
【００８３】
そして、携帯情報端末２７０は、赤外線受光用携帯機器２８０から、特定のアプリケーションに関するコマンドを受信すると、特定のアプリケーションにおいて、当該コマンドに応じた処理を行う。
【００８４】
以上説明したように、第２の実施の形態に係る赤外線通信システムによれば、赤外線受光用携帯機器の赤外線受光部によって受光した赤外線から、解除コードを含むデータを表すパルスコードが得られた場合に、解除コードが一致するコマンドを送信可能な状態に解除することにより、指向性を利用して、特定のアプリケーションにおけるコマンドの送信を安全かつ遠隔で解除することができる。
【００８５】
なお、上記の第２の実施の形態では、当該コマンドを送信可能な状態に解除すると、すぐに、当該コマンドを、無線通信可能に接続されている携帯情報端末に対して送信する場合を例に説明したが、これに限定されるものではない。例えば、操作者による操作を待って、送信可能な状態に解除されたコマンドを、無線通信可能に接続されている携帯情報端末に対して送信するようにしてもよい。
【００８６】
また、赤外線のパルスコードから得られる解除コードにより出力可能な状態に解除されるデータが、音声ファイル、音楽ファイル、アプリケーションのコマンドである場合を例に説明したが、これに限定されるものではなく、他の出力データを、出力可能な状態に解除するようにしてもよい。例えば、画像ファイルを、表示可能な状態に解除するようにしてもよい。
【００８７】
また、赤外線出力機として図１３に示すような模型銃３１２を用いてもよい。この場合には、模型銃３１２のインナーバレルに、光学装置１０を設け、模型銃３１２の引き金３１４を引いた際に、光学装置１０が発する光線Ｂを銃口３１８から出射できるように構成すればよい。
【符号の説明】
【００８８】
１０   光学装置
１２   赤外線出力機
４２   発光ダイオード
８０   携帯機器
８２   赤外線受光部
８４   発光部
８６、２８６  操作部
８６Ａ 音声再生ボタン
８６Ｂ 音楽再生ボタン
８６Ｃ 送りボタン
８８   音声出力部
９４、２９４  制御部
９６、２９６  記憶部
９６Ａ 解除コードテーブル
９６Ｂ 再生可能ファイルテーブル
９７   解除部
９８   発光制御部
９９   再生制御部
１００、２００       赤外線通信システム
２７０ 携帯情報端末
２８０ 赤外線受光用携帯機器
２８４ 表示部
２８８ 無線通信部
２９８ 表示制御部
２９９ 通信制御部
【図１】
2020092328.tif 000003
【図２】
2020092328.tif 000004
【図３】
2020092328.tif 000005
【図４】
2020092328.tif 000006
【図５】
2020092328.tif 000007
【図６】
2020092328.tif 000008
【図７】
2020092328.tif 000009
【図８】
2020092328.tif 000010
【図９】
2020092328.tif 000011
【図１０】
2020092328.tif 000012
【図１１】
2020092328.tif 000013
【図１２】
2020092328.tif 000014
【図１３】
2020092328.tif 000015